【手続補正書】
【提出日】平成29年7月31日(2017.7.31)
【手続補正１】
【補正対象書類名】特許請求の範囲
【補正対象項目名】請求項３
【補正方法】変更
【補正の内容】
【請求項３】
前記第１管理サーバは、前記第１送信処理において、
前記第１接続点と前記第２接続点と前記特定の第１伝送経路とが共通する前記第１復旧面の接続変更情報が複数存在する場合、各々に共通の復旧面識別子を付与することにより、いずれかの前記第１復旧面の接続変更情報を前記第２管理サーバに送信し、
前記第２管理サーバは、前記第１生成処理において、
前記第１管理サーバから受信された前記いずれかの第１復旧面の接続変更情報に基づいて、前記第２現用面を構成する前記第２伝送経路群のうち前記第２接続点で前記第１ネットワークと接続される第２伝送経路を、前記第２接続点を経由せず、かつ、前記第１接続点を経由する第３伝送経路に変更することにより、前記第１ネットワークが前記いずれかの第１復旧面で運用され、かつ、前記第２ネットワークが前記第２現用面で運用される前記第２現用面および前記いずれかの第１復旧面に関する伝送経路設定情報を生成し、
前記第２管理サーバは、前記第１設定処理において、
前記第２現用面および前記いずれかの前記第１復旧面に関する伝送経路設定情報にしたがってデータを伝送するように前記第２ネットワーク内の第２伝送装置を設定する、
ことを特徴とする請求項１に記載の通信システム。
【手続補正２】
【補正対象書類名】特許請求の範囲
【補正対象項目名】請求項４
【補正方法】変更
【補正の内容】
【請求項４】
前記第１管理サーバは、前記第１送信処理において、
前記第１接続点と前記第２接続点と前記特定の第１伝送経路とが共通する前記第１復旧面の接続変更情報が複数存在する場合、各々に共通の復旧面識別子を付与することにより、いずれかの前記第１復旧面の接続変更情報を前記第２管理サーバに送信し、
前記第２管理サーバは、前記第２生成処理において、
前記第１管理サーバから受信された前記いずれかの第１復旧面の接続変更情報に基づいて、前記第２復旧面を構成する前記特定の第２伝送経路群のうち前記第２接続点で前記第１ネットワークと接続される特定の第２伝送経路を、前記第２接続点を経由せず、かつ、前記第１接続点を経由する第４伝送経路に変更することにより、前記第１ネットワークが前記いずれかの第１復旧面で運用され、かつ、前記第２ネットワークが前記第２復旧面で運用される前記第２復旧面および前記いずれかの第１復旧面に関する伝送経路設定情報を生成し、
前記第２管理サーバは、前記第２設定処理において、
前記第２復旧面および前記いずれかの第１復旧面に関する伝送経路設定情報にしたがってデータを伝送するように前記第２伝送装置を設定する、
ことを特徴とする請求項２に記載の通信システム。
【手続補正３】
【補正対象書類名】特許請求の範囲
【補正対象項目名】請求項９
【補正方法】変更
【補正の内容】
【請求項９】
前記第１接続点および前記第２接続点は、前記第１ネットワークと前記第２ネットワークとの間のリンク上の仮想的な伝送装置であることを特徴とする請求項１に記載の通信システム。
【手続補正４】
【補正対象書類名】特許請求の範囲
【補正対象項目名】請求項１１
【補正方法】変更
【補正の内容】
【請求項１１】
複数の第１伝送装置から構成される第１ネットワークを管理する管理サーバであって、
前記管理サーバは、
前記第１ネットワークにおいて第２ネットワークに接続される第１伝送経路群で構成される第１現用面に関する伝送経路設定情報を記憶するとともに、前記複数の第１伝送装置から選ばれた１以上の特定の第１伝送装置を経由せずに前記第２ネットワークに接続される特定の第１伝送経路群で構成される第１復旧面に関する伝送経路設定情報を前記特定の第１伝送装置の組み合わせごとに記憶する第１データベースを有し、
前記管理サーバは、
前記第１復旧面に関する伝送経路設定情報を参照して、前記特定の第１伝送経路ごとに当該特定の第１伝送経路上で前記第２ネットワークに接続する第１接続点と、前記特定の第１伝送経路上で前記特定の第１伝送装置に起因して前記第２ネットワークに接続してはいけない第２接続点とを規定した前記第１復旧面の接続変更情報を、前記第１復旧面に関する伝送経路設定情報ごとに生成して、前記第２ネットワークを管理する他の管理サーバに送信する送信処理と、
前記他の管理サーバから受信された第２復旧面の接続変更情報に基づいて、前記第１現用面を構成する前記第１伝送経路群のうち前記第１接続点で前記第２ネットワークと接続される第１伝送経路を、前記第１接続点を経由せず、かつ、前記第２接続点を経由する第３伝送経路に変更することにより、前記第２ネットワークが前記第２復旧面で運用され、かつ、前記第１ネットワークが前記第１現用面で運用される前記第１現用面および前記第２復旧面に関する伝送経路設定情報を生成する生成処理と、
前記生成処理によって生成された前記第１現用面および前記第２復旧面に関する伝送経路設定情報にしたがってデータを伝送するように前記第１伝送装置を設定する設定処理と、
を実行することを特徴とする管理サーバ。
【手続補正５】
【補正対象書類名】特許請求の範囲
【補正対象項目名】請求項１２
【補正方法】変更
【補正の内容】
【請求項１２】
各々複数の伝送装置から構成されるネットワーク群と、前記ネットワーク群の各々を管理する管理サーバ群と、を備えた通信システムによる設定方法であって、
前記管理サーバ群の中の第１管理サーバは、
前記ネットワーク群の中の前記第１管理サーバが管理する第１ネットワークにおいて第２ネットワークに接続される第１伝送経路群で構成される第１現用面に関する伝送経路設定情報を記憶するとともに、前記第１ネットワーク内の複数の第１伝送装置から選ばれた１以上の特定の第１伝送装置を経由せずに前記第２ネットワークに接続される特定の第１伝送経路群で構成される第１復旧面に関する伝送経路設定情報を前記特定の第１伝送装置の組み合わせごとに記憶する第１データベースを有し、
前記第２ネットワークを管理する第２管理サーバは、
前記第２ネットワークにおいて前記第１ネットワークに接続される第２伝送経路群で構成される第２現用面に関する伝送経路設定情報を記憶する第２データベースを有し、
前記設定方法は、
前記第１管理サーバが、
前記第１復旧面に関する伝送経路設定情報を参照して、前記特定の第１伝送経路ごとに当該特定の第１伝送経路上で前記第２ネットワークに接続する第１接続点と、前記特定の第１伝送経路上で前記特定の第１伝送装置に起因して前記第２ネットワークに接続してはいけない第２接続点とを規定した前記第１復旧面の接続変更情報を、前記第１復旧面に関する伝送経路設定情報ごとに生成して、前記第２管理サーバに送信する第１送信処理を実行し、
前記第２管理サーバが、
前記第１管理サーバから受信された前記第１復旧面の接続変更情報に基づいて、前記第２現用面を構成する前記第２伝送経路群のうち前記第２接続点で前記第１ネットワークと接続される第２伝送経路を、前記第２接続点を経由せず、かつ、前記第１接続点を経由する第３伝送経路に変更することにより、前記第１ネットワークが前記第１復旧面で運用され、かつ、前記第２ネットワークが前記第２現用面で運用される前記第２現用面および前記第１復旧面に関する伝送経路設定情報を生成する第１生成処理と、
前記第１生成処理によって生成された前記第２現用面および前記第１復旧面に関する伝送経路設定情報にしたがってデータを伝送するように前記第２ネットワーク内の第２伝送装置を設定する第１設定処理と、
を実行することを特徴とする設定方法。
【手続補正６】
【補正対象書類名】特許請求の範囲
【補正対象項目名】請求項１４
【補正方法】変更
【補正の内容】
【請求項１４】
前記第１管理サーバは、前記第１送信処理において、
前記第１接続点と前記第２接続点と前記特定の第１伝送経路とが共通する前記第１復旧面の接続変更情報が複数存在する場合、各々に共通の復旧面識別子を付与することにより、いずれか一方の前記第１復旧面の接続変更情報を前記第２管理サーバに送信し、
前記第２管理サーバは、前記第１生成処理において、
前記第１管理サーバから受信された前記いずれか一方の前記第１復旧面の接続変更情報に基づいて、前記第２現用面を構成する前記第２伝送経路群のうち前記第２接続点で前記第１ネットワークと接続される第２伝送経路を、前記第２接続点を経由せず、かつ、前記第１接続点を経由する第３伝送経路に変更することにより、前記第１ネットワークが前記第１復旧面で運用され、かつ、前記第２ネットワークが前記第２現用面で運用される前記第２現用面および前記第１復旧面に関する伝送経路設定情報を生成し、
前記第２管理サーバは、前記第１設定処理において、
前記第２現用面および前記いずれか一方の前記第１復旧面に関する伝送経路設定情報にしたがってデータを伝送するように前記第２のネットワーク内の第２伝送装置を設定する、
ことを特徴とする請求項１２に記載の設定方法。